(57)【要約】【課題】構造が簡単で安価であり、作業者が力を加えなくても重量物を持ち上げた状態を保持することができるジャッキ装置を提供する。【解決手段】ジャッキ装置１０は、第１の棒状部分２０と第２の棒状部分２２とをＬ字形状になるように接続した梃子部材１４と、第１の棒状部分２０よりも短く、一端部に係合部３４が設けられており、他端部において梃子部材１４の第１の棒状部分側端部に旋回軸４０周りに旋回可能に取り付けられた持上部材１６と、第１の棒状部分２０と第２の棒状部分２２との接続部に取り付けられ回転軸３０周りに回転可能な車輪３２とを備える。係合部３４を重量物の底部に係合させた状態で第２の棒状部分２２の端部を下方に向かって押し下げて車輪３２を重量物に接近させたときに車輪３２の回転軸３０が係合部３４よりも重量物に接近できるように、車輪３２が梃子部材１４に取り付けられている。【選択図】図１
2009280339.tif 000002
【特許請求の範囲】
【請求項１】
重量物を持ち上げるためのジャッキ装置であって、
第１の棒状部分と第２の棒状部分とをＬ字形状になるように接続した梃子部材と、
前記第１の棒状部分よりも短く、一端部に係合部が設けられており、他端部において前記梃子部材の第１の棒状部分側端部に旋回軸周りに旋回可能に取り付けられた持上部材と、
前記梃子部材の前記第１の棒状部分と前記第２の棒状部分の接続部に取り付けられ回転軸周りに回転可能な車輪と、
を備え、前記係合部を重量物の底部に係合させた状態で前記梃子部材の前記第２の棒状部分の端部を下方に向かって押し下げて前記車輪を前記重量物に接近させたときに前記車輪の回転軸が前記係合部よりも前記重量物に接近できるように、前記車輪が前記梃子部材に取り付けられていることを特徴とするジャッキ装置。
【請求項２】
前記回転軸は、前記第２の棒状部分とは反対側に前記第１の棒状部分から突出するように前記梃子部材に取り付けられており、前記車輪は、前記第１の棒状部分の長さ方向に前記第２の棒状部分から突出するような大きさになっている、請求項１に記載のジャッキ装置。
【請求項３】
前記第１の棒状部分と前記第２の棒状部分とは分離可能に接続されている、請求項１又は請求項２に記載のジャッキ装置。
【請求項４】
前記重量物は情報キオスク端末である、請求項１から請求項３の何れか一項に記載のジャッキ装置。
【発明の詳細な説明】
【技術分野】
【０００１】
本発明は、重量物を持ち上げるためのジャッキ装置に関する。
【背景技術】
【０００２】
自動販売機や情報キオスク端末は非常に重いため、これらを設置するときなどには、例えば、持ち上げ装置を用いて、自動販売機や情報キオスク端末の一方側を持ち上げ、その下に台車を滑りこませて、自動販売機や情報キオスク端末を台車に載せ上げて移動させることが多い。
【０００３】
持ち上げ装置としては、例えば、特許文献１に開示の梃子棒や特許文献２に開示のジャッキなどが用いられる。特許文献１に開示される梃子棒は、梃子棒の支点に支点車が取り付けられており、重量物を押し上げた状態で移動できるようになっている。また、特許文献２に開示されるジャッキは、支点において支持された梃子部材の先端にＬ字形状の引上げ部材を垂設して、引上げ部材の引上げ時に引上げ部材が真直ぐに上がるようにしたものである。
【０００４】
また、特許文献３に開示されるような一対の車輪を備えたリフト装置により、自動販売機や情報キオスク端末を持ち上げたまま移動させることもある。
【特許文献１】登録実用新案第３０３７０８６号公報
【特許文献２】登録実用新案第３０２３８５７号公報
【特許文献３】特開平１０−７３９３号公報
【発明の開示】
【発明が解決しようとする課題】
【０００５】
特許文献１に開示のような車輪付きの梃子棒や特許文献２に開示されるようなジャッキを用いる場合、自動販売機や情報キオスク端末の一端を持ち上げた状態に保持するためには、梃子部材の一端に力を作用させ続けなければならず、自動販売機や情報キオスク端末の一端を持ち上げた状態でその下に台車を挿入する作業を一人で行うことができないという問題がある。また、特許文献３に開示されるようなリフト装置は、大型になり高価であるという問題がある。また、自動販売機や情報キオスク端末内に収納することはできないので、移動が必要になるたびに別にリフト装置を準備しなければならない問題もある。
【０００６】
よって、本発明の目的は、従来技術に存する問題を解決して、構造が簡単で安価であり、作業者が力を加えなくても重量物を持ち上げた状態を保持することができるジャッキ装置を提供することにある。
【課題を解決するための手段】
【０００７】
上記目的を達成するために、本発明は、重量物を持ち上げるためのジャッキ装置であって、第１の棒状部分と第２の棒状部分とをＬ字形状になるように接続した梃子部材と、前記第１の棒状部分よりも短く、一端部に係合部が設けられており、他端部において前記梃子部材の第１の棒状部分側端部に旋回軸周りに旋回可能に取り付けられた持上部材と、前記梃子部材の前記第１の棒状部分と前記第２の棒状部分の接続部に取り付けられ回転軸周りに回転可能な車輪とを備え、前記係合部を重量物の底部に係合させた状態で前記梃子部材の前記第２の棒状部分の端部を下方に向かって押し下げて前記車輪を前記重量物に接近させたときに前記車輪の回転軸が前記係合部よりも前記重量物に接近できるように、前記車輪が前記梃子部材に取り付けられているジャッキ装置を提供する。
【０００８】
梃子部材の第１の棒状部分と第２の棒状部分との接続部、すなわちＬ字形状の梃子部材の屈曲部に回転軸周りに回転可能な車輪が取り付けられているので、梃子部材の第１の棒状部分の先端に取り付けられた持上部材の先端の係合部を重量物に係合させ且つ梃子部材に取り付けられた車輪を床面に接触させた状態で作業者が梃子部材の第２の棒状部材の端部を下方に向かって押し下げることにより、てこ作用で車輪を重量物に容易に接近させることができる。車輪が重量物に接近していくと、梃子部材の第１の棒状部分が垂直に起立した状態に近づいていき、持上部材が第１の棒状部分よりも短いので上方に引き上げられて、持上部材の係合部が係合する重量物の側を持ち上げることができる。さらに、床面と平行な方向の位置に関し持上部材の係合部を越えて車輪の回転軸を重量物に接近させると、梃子部材から持上部材を介して重量物に力を作用させる作用点である係合部が、梃子部材の支点である車輪の回転軸に対して、作業者が梃子部材に力を加える力点である梃子部材の第２の棒状部材側端部と同じ側に移動するので、作業者が梃子部材に力を作用させなくても、ジャッキ装置は重量物を持ち上げた状態を保持することができる。
【０００９】
上記ジャッキ装置において、前記回転軸は、前記第２の棒状部分とは反対側に前記第１の棒状部分から突出するように前記梃子部材に取り付けられており、前記車輪は、前記第１の棒状部分の長さ方向に前記第２の棒状部分から突出するような大きさになっていることが好ましい。
【００１０】
さらに、前記第１の棒状部分と前記第２の棒状部分とは分離可能に接続されていることが好ましい。
【００１１】
例えば、前記重量物は情報キオスク端末とすることができる。
【発明の効果】
【００１２】
本発明によれば、簡単な構造のジャッキ装置を提供できるので、ジャッキ装置を安価に製造でき、また、小型となるので、収納も容易になる。さらに、車輪の回転軸を持上部材と重量物との係合点を越えて重量物側に移動させれば、作業者がジャッキ装置の梃子部材に力を作用させなくても、ジャッキ装置は重量物を持ち上げた状態に保持される。したがって、一人の作業者でも重量物を台車に載せる作業を行うことができるようになる。
【発明を実施するための最良の形態】
【００１３】
以下、図面を参照して本発明の好ましい実施形態について説明する。
本発明のジャッキ装置１０は、情報キオスク端末や自動販売機などの重量物の持ち上げのために用いるためのものである。図示される実施形態では、情報キオスク端末１２の持ち上げのために本発明のジャッキ装置１０が用いられている。しかしながら、本発明のジャッキ装置は、情報キオスク端末１０の持ち上げの用途に限定されるものではなく、任意の重量物の持ち上げに用いることが可能である。
【００１４】
本発明のジャッキ装置１０は、略Ｌ字形状に屈曲した梃子部材１４と、梃子部材１４の一端に旋回可能に取り付けられた持上部材１６と、梃子部材１４の他端に接続された延長部材１８とを含む。
【００１５】
梃子部材１４は、長手軸線に対して垂直な横断面において略Ｃ字形状を有した第１の棒状部分２０と、長手軸線に対して垂直な横断面において略Ｃ字形状を有し且つ長手軸線方向の両端部に側面を有した箱形状の第２の棒状部分２２とを含み、第１の棒状部分２０と第２の棒状部分２２とは、第１の棒状部分２０の連結端の幅方向の両側壁に設けられた２対の固定ピン挿入孔２４と第２の棒状部分２２の連結端の幅方向の両側壁に設けられた２対の固定ピン挿入孔２６とを整列させてこれら各固定ピン挿入孔２４，２６に二つの固定ピン２８を挿入することによって、分離可能に固定されている。なお、第１の棒状部分２０の幅は、第２の棒状部分の幅よりも大きくなっており、第１の棒状部分２０の連結端と第２の棒状部分２２の連結端とを重ねたときに第２の棒状部分２２の連結端が第１の棒状部分２０の連結端の幅方向の両側壁の間に受容されるようになっている。
【００１６】
さらに、第１の棒状部分２０の連結端付近には、回転軸３０周りに回転可能な車輪３２が取り付けられている。詳細には、回転軸３０は、第２の棒状部分２２とは反対側に第１の棒状部分２０から突出するように第１の棒状部分２０に取り付けられており、車輪３２は、第１の棒状部分２０の長手軸線方向に第２の棒状部分２２から突出するような大きさになっている。
【００１７】
持上部材１６は、長手軸線に対して垂直な横断面において略Ｃ字形状を有した概略棒形状を有しており、その長さは梃子部材１４の第１の棒状部分２０の長さよりも短くなっている。また、持上部材１６の一端部には、フック形状に延びる係合部３４が形成されている。係合部３４は、後述するブラケット等の開口部など情報キオスク端末１２の一部に係合できれば任意の形状とすることができる。持上部材１６は、梃子部材１４の第１の棒状部分側端部の幅方向の両側壁に設けられた１対の旋回軸挿入孔３６と持上部材１６において係合部３４と反対側の端部の幅方向の両側壁に設けられた１対の旋回軸挿入孔３８とを整列させてこれら旋回軸挿入孔３６，３８に旋回軸４０を挿入することにより、梃子部材１４の第１の棒状部分側端部に着脱可能且つ旋回可能に取り付けられる。なお、持上部材１６の幅は、梃子部材１４の第１の棒状部分２０の幅よりも大きく、持上部材１６の幅方向の両側壁の間に第１の棒状部分２０を受容できるようになっている。
【００１８】
一方、延長部材１８は、棒形状を有している。延長部材１８は、梃子部材１４の第２の棒状部分側端部に設けられた開口部２２ａに延長部材１８を挿入して延長部材１８の一端部の幅方向の両側壁に設けられた接続ピン挿入孔４２と梃子部材１４の第２の棒状部分側端部の幅方向の両側壁に設けられた接続ピン挿入孔４４とを整列させた状態でこれら接続ピン挿入孔４２，４４に接続ピン４６を挿入することにより、梃子部材１４の第２の棒状部分側端部に着脱可能に取り付けられている。梃子部材１４の第２の棒状部分側端部の幅方向の両側壁に長手軸線方向に複数の接続ピン挿入孔４４を設け、接続ピン４６を挿入する位置を変更することにより梃子部材１４から突出する延長部材１８の長さを調整できるようにすることも可能である。なお、延長部材１８は、作業者が力を作用させる力点と梃子部材１４の支点となる車輪３２との距離を長くして作業者の負担を軽くするために接続されるものであり、任意の長さとすることができ、省略することも可能である。
【００１９】
このように、本発明によるジャッキ装置１０は、梃子部材１４と持上部材１６とを旋回軸４０によって着脱可能に接続し、梃子部材１４と延長部材１８とを接続ピン４６によって着脱可能に接続していると共に、第１の棒状部分２０と第２の棒状部分２２とを固定ピン２８によって分離可能に固定している。したがって、旋回軸４０、接続ピン４６、及び固定ピン２８を外すことにより、ジャッキ装置１０は、第１の棒状部分２０、第２の棒状部分２２、持上部材１６、延長部材１８のような小さいサイズの部品に分解することが可能となり、分解した状態であれば例えば各情報キオスク端末１２の内部の小さなスペースに収容することができる。また、このように各情報キオスク端末１２内にジャッキ装置１０をそれぞれ収容しておくことができれば、情報キオスク端末１２の移動の際に、別にジャッキ装置１０を予め用意しておく必要がなくなり、作業準備を簡単化することが可能になる。
【００２０】
次に、図２を参照して、図１に示されるジャッキ装置１０の組立手順及び動作を説明する。なお、情報キオスク端末１２の底面に取り付けられた底板４８の両側部には、ジャッキ装置１０の持上部材１６の係合部３４が係合可能な開口部５０を有したブラケット５２が設けられている。
【００２１】
最初に、作業者は、第１の棒状部分２０の連結端の幅方向の両側壁の間に第２の棒状部分の連結端を受容させて第１の棒状部分２０の固定ピン挿入孔２４と第２の棒状部分２２の固定ピン挿入孔２６とを整列させ、整列させた固定ピン挿入孔２４，２６に固定ピン２８を挿入することにより、第１の棒状部分２０と第２の棒状部分２２とを固定して梃子部材１４を組み立てる。次に、持上部材１６の係合部３４と反対側の端部の幅方向の両側壁の間に梃子部材１４の第１の棒状部分側端部を受容させて梃子部材１４の第１の棒状部分２０の旋回軸挿入孔３６と持上部材１６の旋回軸挿入孔３８とを整列させ、整列させた旋回軸挿入孔３６，３８に旋回軸４０を挿入することにより、持上部材１６を旋回可能に梃子部材１４に接続すると共に、梃子部材１４の第２の棒状部分２２の開口部２２ａ内に延長部材１８を挿入し延長部材１８の接続ピン挿入孔４２と第２の棒状部分２２の接続ピン挿入孔４４とを整列させた状態で接続ピン挿入孔４２，４４に接続ピン４６を挿入することにより延長部材１８を梃子部材１４に接続し、ジャッキ装置１０を組み立てる。
【００２２】
次に、作業者は、図２（ａ）に示されているように、梃子部材１４をＶ字状になるように配置して梃子部材１４に取り付けられた車輪３２を床面に接触させた状態で、情報キオスク端末１２の底板４８に設けられたブラケット５２の開口部５０にジャッキ装置１０の持上部材１６の係合部３４を係合させる。次に、図２（ｂ）に示されているように、延長部材１８に下向きの力を作用させて梃子部材１４の第２の棒状部分側端部を下方に向かって押し下げると、車輪３２が回転軸３０周りに回転しながら情報キオスク端末１２に向かって接近し、梃子部材１４の第１の棒状部分２０が垂直に起立した状態に近づいていく。梃子部材１４の第１の棒状部分２０が垂直に起立した状態に近づくと、持上部材１６は、梃子部材１４の第１の棒状部分２０よりも短いことから、旋回軸４０周りに旋回しながら梃子部材１４によって上方に引き上げられ、これにより、ブラケット５２を介して情報キオスク端末１２の底板４８の一方側が持ち上げられる。
【００２３】
作業者がさらに延長部材１８に下向きの力を作用させて梃子部材１４の第２の棒状部材側端部を押し下げると、図２（ｃ）に示されているように、床面と平行な方向の位置に関して、車輪３２の回転軸３０が、持上部材１６の係合部３４を越えて情報キオスク端末１２に接近する。この状態では、梃子部材１４の第２の棒状部分２２は床面とほぼ平行になるが、車輪３２は、第１の棒状部分２０の長手軸線方向に第２の棒状部分２２から突出するような大きさになっているので、この状態になるまで床面に接触した状態を維持することができる。したがって、作業者は、回転軸３０が持上部材１６の係合部３４を越えて情報キオスク端末１２に接近する位置まで車輪３２を容易に移動させることができる。
【００２４】
一方、持上部材１６の係合部３４を越えて車輪３２の回転軸３０を情報キオスク端末１２に接近させると、梃子部材１４から情報キオスク端末１２に対する力の作用点である係合部３４と梃子部材１４の力点である延長部材側端部とが梃子部材１４の支点である車輪３２（正確にはその回転軸３０）に対して同じ側に移動するため、作業者が梃子部材１４に力を作用させなくてもジャッキ装置１０は情報キオスク端末１２の一方側を持ち上げた状態にロックされ、この状態を保持することができる。したがって、作業者は、延長部材１８から手を離して、情報キオスク端末１２の底板４８の下に台車を挿入することができる。すなわち、一人の作業者だけでも台車の挿入作業ができる。
【００２５】
次に、情報キオスク端末１２の底板４８の下に台車を挿入した後、延長部材１８の端部を引き上げて、床面と平行な方向の位置に関して持上部材１６の係合部３４を越えて車輪３２の回転軸３０を情報キオスク端末１２から離れさせ、梃子部材１４の第１の棒状部分２０を床面と水平な状態に近づけていくことにより、持上部材１６が下方に移動して情報キオスク端末１２を台車上に載せ上げられる。これにより、情報キオスク端末１２が移動可能な状態になって所望の場所まで移動させることが容易になる。所望の場所まで情報キオスク端末１２を移動させたなら、上記と同様の手順に従ってジャッキ装置１０で情報キオスク端末１２の底板４８の一方側を持ち上げて、情報キオスク端末１２の底板４８の下から台車を引き抜けばよい。
【００２６】
上記の設置手順において、情報キオスク端末１２を台車に載せる代わりに、情報キオスク端末１２の一方側を持ち上げた状態で情報キオスク端末１２の底板４８に車輪（図示せず）を取り付けてもよい。この場合、情報キオスク端末１２の底板４８の一方側に少なくとも２つの車輪を取り付けた後、底板４８の反対側を同様にジャッキ装置１０で持ち上げて同様に少なくとも２つの車輪を取り付ければよい。
【００２７】
以上、図示される実施形態に基づいて本発明を説明したが、本発明は図示される実施形態に限定されるものではない。例えば、情報キオスク端末１２に代えて自動販売機に本発明のジャッキ装置１０を用いることができる。また、梃子部材１４の第１の棒状部分２０と第２の棒状部分２２とを一体的に形成することも可能である。
【図面の簡単な説明】
【００２８】
【図１】本発明の手動ジャッキ装置の斜視図である。
【図２】図１に示される手動ジャッキ装置による情報キオスク端末の持ち上げ手順を示す説明図である。
【符号の説明】
【００２９】
１０    ジャッキ装置
１２    情報キオスク端末
１４    梃子部材
１６    持上部材
２０    第１の棒状部分
２２    第２の棒状部分
３０    回転軸
３２    車輪
３４    係合部
４０    旋回軸
【図１】
2009280339.tif 000003
【図２】
2009280339.tif 000004